(57)【要約】【課題】光音響振動を高感度かつ高精度で測定することである。【解決手段】光音響振動に基づく物性測定装置１０は、光入力素子であるＬＥＤ１２と、音響検出センサ１４と、音響検出センサ１４の信号出力端子１５に入力端子が接続される増幅器３０と、増幅器３０の出力端子とＬＥＤ駆動回路１６の信号入力端子２１との間に設けられ、信号の周波数を変化させてＬＥＤ駆動回路１６への入力波形と音響検出センサ１４からの出力波形との間に生ずる位相差をゼロにする位相補償回路３２と、位相差をゼロに補償して起こる自励発振振動の周波数について対象物である媒体６の状態によって変化する周波数の変化量を検出する周波数変化検出部３４と、周波数変化量と対象物の特性値との間の特性相関関係３８を予め求めて記憶し、検出された周波数変化量に対応する対象物の特性値を出力する出力部４０を備える。【選択図】図１
2014052206.tif 000002
【特許請求の範囲】
【請求項１】
物性測定の対象物に光を入射する光入力素子と、
対象物からの光音響振動を検出する音響検出センサと、
音響検出センサの信号出力端子に入力端子が接続される増幅器と、
増幅器の出力端子と光入力素子への信号入力端子との間に設けられ、信号の周波数を変化させて光入力素子への入力波形と音響検出センサからの出力波形との間に生ずる位相差をゼロにする位相補償回路と、
音響検出センサと増幅器と位相補償回路とで形成される帰還ループにより位相差をゼロに補償して起こる自励発振振動の周波数について対象物の状態によって変化する周波数の変化量を検出する周波数変化検出部と、
周波数変化量と対象物の特性値との間の特性相関関係を予め求めて記憶し、検出された周波数変化量に対応する対象物の特性値を出力する出力部と、
を備えることを特徴とする光音響振動に基づく物性測定装置。
【請求項２】
請求項１に記載の光音響振動に基づく物性測定装置において、
対象物に音響振動を入力する振動子を備え、
位相補償回路を増幅器の出力端子と光入力素子への信号入力端子との間に設けることに代えて、増幅器の出力端子と振動子の信号入力端子との間に設けることを特徴とする光音響振動に基づく物性測定装置。
【請求項３】
請求項１または２に記載の光音響振動に基づく物性測定装置において、
特性相関関係は、周波数変化量と対象物の粘度との間の相関関係を規定することを特徴とする光音響振動に基づく物性測定装置。
【請求項４】
請求項１または２に記載の光音響振動に基づく物性測定装置において、
特性相関関係は、周波数変化量と対象物に含まれる特定物質の濃度との間の相関関係を規定することを特徴とする光音響振動に基づく物性測定装置。
【発明の詳細な説明】
【技術分野】
【０００１】
本発明は、光音響振動に基づく物性測定装置に関する。
【背景技術】
【０００２】
液体等の媒体に光エネルギを入射すると媒体の温度が上昇し、これによって媒体が振動して音響振動を発生することが光音響現象として知られている。
【０００３】
特許文献１には、軟骨組織のコラーゲン、水分等の成分についての物性測定用の光励起蛍光検出装置が開示されている。ここでは、体内に挿入可能な円筒状の支持具の中に光ファイバが設けられ、支持具の先端には光ファイバとの間の位置関係が固定されてリング状の音響波検出装置としての圧電トランスデューサが設けられている。
【０００４】
特許文献２には、光音響による血液中グルコースの非侵襲性測定のための方法と装置として、測定セルと基準セルを身体表面に接触させ、測定セルには周波数ｆで変調したレーザ光を導き、基準セルにはレーザ光を導かない構成が開示されている。ここでは、測定セルと基準セルと身体表面との間の空気の振動を作動マイクロフォンに入れてノイズを相殺している。周波数ｆを調整することで、熱拡散長を皮膚の熱拡散長に設定できると述べている。
【０００５】
特許文献３には、ガスサンプルについての光音響分析装置及び分析方法として、光パルスビームの発生源と、遮音状態とした円筒状の参照室と測定室とを直線状に配置したセルを用いる構成が開示されている。ここでは、セルに連結される音検出器は、公知のタイプのマイクロフォン等で構成される。
【先行技術文献】
【特許文献】
【０００６】
【特許文献１】特開２００８−２６４５７８号公報
【特許文献２】特開平１１−２３５３３１号公報
【特許文献３】特開平７−３３３１３９号公報
【発明の概要】
【発明が解決しようとする課題】
【０００７】
光音響現象は物質の振動特性に関するものであるので、物質の質量、バネ定数、減衰定数等を評価できることが期待される。例えば、対象物の粘度は振動の減衰定数に密接に関連するので、光音響振動から物質の粘度が分かれば、粘度に関連して薬剤の有効成分濃度、果汁や血液におけるグルコース濃度等が評価できる。
【０００８】
光音響現象は、光入射による物質の温度上昇に基づいて発生する振動であるので、きわめて微弱でノイズに弱い。本発明の目的は、光音響振動を高感度かつ高精度で測定できる光音響振動に基づく物性測定装置を提供することである。
【課題を解決するための手段】
【０００９】
本発明に係る光音響振動に基づく物性測定装置は、物性測定の対象物に光を入射する光入力素子と、対象物からの光音響振動を検出する音響検出センサと、音響検出センサの信号出力端子に入力端子が接続される増幅器と、増幅器の出力端子と光入力素子への信号入力端子との間に設けられ、信号の周波数を変化させて光入力素子への入力波形と音響検出センサからの出力波形との間に生ずる位相差をゼロにする位相補償回路と、音響検出センサと増幅器と位相補償回路とで形成される帰還ループにより位相差をゼロに補償して起こる自励発振振動の周波数について対象物の状態によって変化する周波数の変化量を検出する周波数変化検出部と、周波数変化量と対象物の特性値との間の特性相関関係を予め求めて記憶し、検出された周波数変化量に対応する対象物の特性値を出力する出力部と、を備えることを特徴とする。
【００１０】
また、本発明に係る光音響振動に基づく物性測定装置において、対象物に音響振動を入力する振動子を備え、位相補償回路を増幅器の出力端子と光入力素子への信号入力端子との間に設けることに代えて、増幅器の出力端子と振動子の信号入力端子との間に設けることが好ましい。
【００１１】
また、本発明に係る光音響に基づく物性測定装置において、特性相関関係は、周波数変化量と対象物の粘度との間の相関関係を規定することが好ましい。
【００１２】
また、本発明に係る光音響に基づく物性測定装置において、特性相関関係は、周波数変化量と対象物に含まれる特定物質の濃度との間の相関関係を規定することが好ましい。
【発明の効果】
【００１３】
上記構成により、光入力素子からの光入力で対象物が発生する光音響振動を音響検出センサで検出する。そのままでは音響検出センサの出力は微弱であるので、単純に増幅してもノイズに弱い。そこで、音響検出センサの信号出力端子と光入力素子への信号入力端子の間に増幅器と位相補償回路を含む帰還ループを形成する。帰還ループには光入力素子と音響検出センサとの間の対象物の振動特性に依存する質量、バネ定数、減衰定数等が含まれる。位相補償回路は、信号の周波数を変化させて光入力素子への入力波形と音響検出センサからの出力波形との間に生ずる位相差をゼロにする機能を有するので、帰還ループの信号について自励発振振動が生じる。
【００１４】
この自励発振振動の周波数は、光入力素子における駆動信号の位相と音響検出センサにおける検出信号の位相差に依存し、位相差がゼロのときの周波数に対し、位相差が大きいほど周波数の変化が大きくなる。対象物の濃度等が異なることで光音響振動の周波数も変化するがその変化は極めて小さい。一方で、光入力素子における駆動信号の位相と音響検出センサにおける検出信号の位相の変化はかなり大きいが位相変化量を直接的に精度よく測定する手段がない。位相補償回路を用いることで、位相変化量を周波数変化量に変換できる。変換された周波数変化量は、光音響振動の周波数変化量そのものではなく、位相変化量を周波数変化量に変換したものである。位相変化量と周波数変化量の間の変換ゲインは位相補償回路の設定で決定できる。したがって、位相補償回路によって変換された周波数変化量を用いることで、光音響振動の周波数または振幅の微弱変化を高感度でかつ高精度で検出できる。
【００１５】
また、対象物に音響振動を入力する振動子を備え、位相補償回路を増幅器の出力端子と光入力素子への信号入力端子との間に設けることに代えて、増幅器の出力端子と振動子の信号入力端子との間に設けることができる。この構成は、音響検出センサの信号出力端子と振動子の信号入力端子との間に増幅器と位相補償回路を含む帰還ループを形成するものである。帰還ループには光入力素子と音響検出センサとの間の対象物の振動特性に依存する質量、バネ定数、減衰定数等が含まれるので、光入力素子による光入射によって対象物の物性が変化することを光音響振動の変化に基づいて検出することができる。例えば、光入射を行うことで、対象物の濃度や粘度が変化することを検出できる。
【００１６】
位相補償回路によって検出される周波数変化量と対象物の特性値との間の特性相関関係を予め求めておくことで、光音響振動に基づいて対象物の特性値を得ることができる。特性値としては、振動特性に関連するものが好ましい。例えば、対象物の粘度、対象物に含まれる特定物質の濃度等が好ましい。
【図面の簡単な説明】
【００１７】
【図１】本発明の実施の形態における光音響振動に基づく物性測定装置の構成図である。
【図２】本発明の実施の形態における光音響振動に基づく物性測定装置に用いられる音響検出センサを示す図で、（ａ）は斜視図、（ｂ）は底面図である。
【図３】光音響振動を説明する図である。
【図４】本発明の実施の形態における光音響振動に基づく物性測定装置の測定結果の例で、絵具濃度と周波数変化量の間の対応関係を示す図である。
【図５】絵具濃度と粘度の関係図である。
【図６】本発明の実施の形態における光音響振動に基づく物性測定装置の測定結果の例で、粘度と周波数変化量の間の特性相関関係を示す図である。
【図７】本発明の実施の形態における光音響振動に基づく物性測定装置に用いられる音響検出センサの別の例を示す図である。
【図８】図４の結果と比較しながら、図７の音響検出センサを用いたときの絵具濃度と周波数変化量の間の特性相関関係を示す図である。
【図９】本発明の実施の形態における光音響振動に基づく物性測定装置の別の構成を示す図である。
【図１０】図９の構成の光音響振動に基づく物性測定装置に用いられる音響検出センサを示す図で、（ａ）は斜視図、（ｂ）は底面図である。
【図１１】図４の結果と比較しながら、図９の構成を用いたときの絵具濃度と周波数変化量の間の特性相関関係を示す図である。
【発明を実施するための形態】
【００１８】
以下に図面を用いて本発明に係る実施の形態につき詳細に説明する。以下では、光入力素子として発光素子（Ｌｉｇｈｔ  Ｅｍｉｓｓｉｏｎ  Ｄｅｖｉｃｅ：ＬＥＤ）を述べるが、これは説明の例示であって、光エネルギの制御を行ことができる素子であればよく、レーザ素子、ランプ等であってもよい。また、音響検出素子としてＰＺＴの圧電素子を述べるが、これは説明の例示であって、音響を拾えるマイクロフォンとしての機能を有するものであればよい。例えば、ムービング・コイル型、リボン型、コンデンサ型、カーボンマイクロフォン等であってもよい。
【００１９】
以下では対象物として、絵具を溶かした純水について述べるが、これは光音響振動に基づく物性測定として、対象物の粘度、対象物に含まれる特定物質の濃度を示すモデルを示すものである。絵具以外の特定物質、例えば、グルコース、ヘモグロビン等について、周波数変化量とこれらの粘度、濃度の特性相関関係を予め求めておくことで、同様に適用が可能である。
【００２０】
以下で述べる形状、寸法、材質等は例示であって、光音響振動に基づく物性測定装置の仕様に応じ、適宜変更が可能である。
【００２１】
以下では、全ての図面において、一または対応する要素には同一の符号を付し、重複する説明を省略する。
【００２２】
図１は、光音響振動に基づく物性測定装置１０の構成を示す図である。以下では、特に断らない限り、光音響振動に基づく物性測定装置１０を、単に物性測定装置１０として説明を続ける。図１には、物性測定装置１０の構成要素ではないが、物性測定の対象物として、容器に入った媒体６が示されている。物性測定装置１０は、媒体６の中に配置されたＬＥＤ１２から光を媒体６の中に入射し、媒体６が温度上昇して発生する光音響振動８を音響検出センサ１４で検出し、その検出結果に基づいて媒体の物性を測定するものである。
【００２３】
ＬＥＤ１２は、媒体６に光エネルギを放射する光入力素子である。ＬＥＤ１２としては、市販の発光ダイオードの中から適当な特性を有するものを選んで用いることができる。適当な特性としては、媒体６の光吸収特性である分光特性に基づいて選択できる。ここでは、媒体６として絵具を溶かした純水を用いるので、絵具の分光特性に基づいてＬＥＤ１２の特性を決定できる。ここでは、血液の色に近い赤色絵具のピーク波長が約６５０ｎｍ程度であるので、中心波長が７３５ｎｍ、動作入力電圧が９Ｖの発光素子をＬＥＤ１２とした。
【００２４】
ＬＥＤ１２は、絵具を溶かした媒体６の中に配置されるので、透光性を確保しながら適当な防水処理が施される。具体的には、ＬＥＤ１２のカソード側端子を基板に接続し、アノード端子はそのまま引き出すようにして、媒体６が収容される容器の底部に基板を設置する。基板からの信号線とアノード端子からの信号線は容器の外側に引き出される。
【００２５】
音響検出センサ１４は、媒体６の中を伝播してくる光音響振動を検出し、電気信号に変換する素子である。ここでは、圧電素子であるＰＺＴを音響検出センサ１４として用いる。図２に、音響検出センサ１４としてのＰＺＴを示した。図２（ａ）は斜視図、（ｂ）は底面図である。音響検出センサ１４は、直径が約６ｍｍ、厚さが約１ｍｍの円板状のＰＺＴの一方側の面に基準電極４２を設け、他方側の面に検出電極４４を設けたものである。検出電極４４から引き出される端子は、音響検出センサ１４の信号出力端子１５に相当する。
【００２６】
ＬＥＤ１２の発光面と音響検出センサ１４の検出面とは、互いに対向するように配置される。その対向距離は、物性測定装置１０の仕様によって設定されるが、ここでは、２ｍｍに設定した。これは例示であって、もっと近接して小型の容器としてもよい。
【００２７】
ＬＥＤ駆動回路１６は、基板からの信号線とアノード端子からの信号線に接続され、ＬＥＤ１２の点灯と消灯を制御する回路である。ＬＥＤ駆動回路１６は、電源ＶCCとの間のオンオフを行うオンオフスイッチ１８と、ＬＥＤ駆動回路１６を駆動するドライバトランジスタ２０と、ドライバトランジスタのベース電圧を設定するいくつかの抵抗素子で構成される。
【００２８】
このＬＥＤ１２と音響検出センサ１４とＬＥＤ駆動回路１６の３つで、従来技術の光音響特性測定を行うことができる。図３は参考のために従来技術による光音響特性を測定した結果を示す図である。図３の横軸は時間で、縦軸は電圧であるが、ＬＥＤ入力電圧が１０Ｖのフルスケールで示され、ＰＺＴ出力電圧が０．２５ｍＶのフルスケールで示されている。ここで、時間が０から約４０ｍｓまでの間は、ＬＥＤ駆動回路１６のオンオフスイッチ１８がオフのままで、音響検出センサ１４であるＰＺＴ出力電圧の振幅は、０．０５ｍＶのノイズレベルである。時間が約４０ｍｓのときに、オンオフスイッチ１８がオンされ、ＬＥＤ入力電圧が約８Ｖとなる。これによってＬＥＤ１２から光エネルギが媒体６に入射され、光音響振動８が発生して、ＰＺＴ出力電圧の振幅が、約０．０８ｍＶ程度に上昇する。これが光音響現象である。
【００２９】
図３から分かるように、光音響振動８は、Ｓ／Ｎ＝（０．０８ｍＶ／０．０５ｍＶ）＝１．６程度であり、極めて微弱でノイズに弱い信号である。
【００３０】
そこで、図１において、音響検出センサ１４の検出信号を高感度化、高精度化する構成について以下に説明する。
【００３１】
ＬＥＤ駆動回路１６における信号入力端子２１は、音響検出センサ１４の微弱な検出信号を帰還するために設けられる端子である。すなわち、ＬＥＤ１２を光入力素子として動作させるには、上記のように、オンオフスイッチ１８、ドライバトランジスタ２０、いくつかの抵抗素子の構成で十分であるが、音響検出センサ１４の微弱な検出信号を高感度化、高精度化するために、位相補償回路３２を含む帰還ループを音響検出センサ１４とＬＥＤ１２との間に設ける。信号入力端子２１はそのためのもので、適当なＤＣカットコンデンサを介してＬＥＤ駆動回路１６のドライバトランジスタ２０のベース端子に接続される。
【００３２】
位相周波数変換部２６は、音響検出センサ１４の信号出力端子１５と、ＬＥＤ駆動回路１６の信号入力端子２１との間に配置される回路で、ＬＥＤ１２における駆動信号の位相と音響検出センサ１４における検出信号の位相の間の変化量を、周波数の変化量に変換する回路である。
【００３３】
媒体６に含まれる特定物質の濃度が異なる等、媒体６の状態が変化することで光音響振動８の電圧振幅も周波数も変化するが、図３で説明したように、もともと光音響振動８の信号レベルは微弱であるので、媒体６の状態の変化による電圧振幅、周波数の変化は極めて小さい。一方で、ＬＥＤ１２における駆動信号の位相と音響検出センサ１４における検出信号の位相の変化はかなり大きいが位相変化量を直接的に精度よく測定する手段がない。そこで、位相周波数変換部２６は、位相の大きな変化量を周波数の大きな変化量に変換し、周波数カウンタを用いて周波数の変化量を検出し、媒体６の状態の変化による光音響振動８の変化を高感度化、高精度化するものである。
【００３４】
位相周波数変換部２６は、音響検出センサ１４の信号出力端子１５とＬＥＤ駆動回路１６の信号入力端子２１の間に、増幅器３０と位相補償回路３２を含む帰還ループを形成する。帰還ループにはＬＥＤ１２と音響検出センサ１４との間の媒体６の振動特性に依存する質量、バネ定数、減衰定数等が含まれる。
【００３５】
位相周波数変換部２６は、音響検出センサ１４の信号出力端子１５に接続される端子２２と、ＬＥＤ駆動回路１６の信号入力端子２１に接続される端子２４を有する。端子２２と端子２４の間には、ＤＣカットコンデンサ２８と増幅器３０と位相補償回路３２がこの順に直列に接続されて配置される。
【００３６】
ＤＣカットコンデンサ２８は、音響検出センサ１４の出力信号の直流成分をカットして交流信号成分のみを増幅器３０に伝送する。増幅器３０は音響検出センサ１４の交流信号成分を適当な増幅率で増幅して位相補償回路３２に伝送する。
【００３７】
位相補償回路３２は、信号の周波数を変化させてＬＥＤ駆動回路１６への入力波形と音響検出センサ１４からの出力波形との間に生ずる位相差をゼロにする機能を有する。したがって、増幅器３０と位相補償回路３２を含む帰還ループの信号については、入力信号と出力信号の位相差がゼロとなるので、自励発振振動が生じる。
【００３８】
この自励発振振動の周波数は、ＬＥＤ１２における駆動信号の位相と音響検出センサ１４における検出信号の位相差に依存し、位相差がゼロのときの周波数に対し、位相差が大きいほど周波数の変化が大きくなる。変換された周波数変化量は、光音響振動８の周波数変化量そのものではなく、位相変化量を周波数変化量に変換したものである。位相変化量と周波数変化量の間の変換ゲインは位相補償回路の設定で決定できる。したがって、位相補償回路によって変換された周波数変化量を用いることで、光音響振動８の周波数または振幅の微弱変化を高感度でかつ高精度で検出できる。かかる位相補償回路３２の構成、作用等は、特開２００４−２８３５４７号公報に詳細に述べられている。
【００３９】
周波数変化検出部３４は、自励発振振動の周波数について媒体６の状態によって変化する周波数の変化量を検出する回路である。
【００４０】
記憶部３６は、周波数変化量と媒体６の特性値との間の特性相関関係３８を予め求めて記憶するメモリである。特性相関関係３８としては、周波数変化量と媒体６の粘度との間の特性相関関係、周波数変化量と媒体６に含まれる特定物質の濃度との間の特性相関関係がある。
【００４１】
出力部４０は、記憶部３６を検索して、周波数変化検出部３４によって検出された周波数変化量に対応する媒体６の特性値を読み出し、出力する。出力部４０は、表示画面を有するモニタ、プリンタ等を用いることができる。
【００４２】
上記構成の作用効果について、媒体６として純水に絵具を溶かしたモデル実験の結果を例として、以下に詳細に説明する。ここでは、媒体６として、純水に赤色絵具、白色絵具、黒色絵具を質量比で０％から１．０％までの濃度で溶かしたものを用いた。そして、それぞれについて位相補償回路３２を含む帰還ループの自励発振振動の周波数を検出し、質量比０％の濃度のときの自励発振振動の周波数を基準として、各濃度についての周波数変化量Δｆを求めた。例えば、質量比０％の濃度の自励発振振動の周波数をｆ0とし、質量比０．８％の濃度の自励発振周波数をｆ0.8とすると、質量比０．８％の濃度の周波数変化量Δｆは、Δｆ＝（ｆ0.8−ｆ0）である。
【００４３】
図４に示されるように、絵具濃度と周波数変化量Δｆとは１対１の対応関係を有する。濃度１％の変化量に対応する周波数変化量Δｆは約０．７ｋＨｚであり、一般的な周波数カウンタで精度よく測定できる値に高感度化、高精度化が実現している。また、赤色、白色、黒色の間の差はあまりない。
【００４４】
図５は、純水に絵具を溶かしたときの常温下における粘度を市販の粘度計で測定し、絵具濃度と粘度の関係を求めたものである。図５に示されるように、絵具濃度が高くなるほど線形的に粘度が大きくなる。また、赤色、白色、黒色の間の差はあまりない。図４、図５に示されるように、絵具濃度と周波数変化量Δｆの関係、絵具濃度と粘度の関係のいずれにおいても、赤色、白色、黒色の間の差はあまりないので、以下では特に断らない限り、赤色絵具に絞って説明を続ける。
【００４５】
図６は、図４と図５の結果に基づいて、赤色絵具について、粘度と周波数変化量Δｆの特性相関関係を求めたものである。図６に示されるように、粘度と周波数変化量Δｆとは１対１の対応関係を有する。また、粘度の小さい変化に対し、周波数変化量Δｆは一般的な周波数カウンタで精度よく測定できる値となっている。
【００４６】
上記では、測定対象物である媒体６として、絵具を溶かした純水を述べたが、これは光音響振動８に基づく物性測定として、対象物の粘度、対象物に含まれる特定物質の濃度を示すモデルを示すものである。絵具以外の特定物質、例えば、グルコース、ヘモグロビン等について、周波数変化量とこれらの粘度、濃度の特性相関関係を予め求めておくことで、同様に適用が可能である。純水に赤色絵具を溶かしたモデル実験は、血液を想定しているが、図６のような周波数変化量と粘度との間の特性相関関係を、血液中の特定物質の濃度について求めておけば、従来技術における血液の特性評価では得られない血液の粘度評価が行える。
【００４７】
例えば、血糖値の評価は、血液中のグルコース濃度を光学的な吸光度または透過度で行っている。血糖値が高くなると血液の粘度が高くなり、血流が遅くなるが、血糖値の光学的評価では、このような粘度の評価を行うことができない。光音響現象は、光音響振動８に基づき、振動は、対象物の質量、バネ定数の他に減衰定数が反映される。このように、光音響振動に基づく物性測定装置１０によれば、対象物の粘度を高感度、高精度で評価できる。
【００４８】
上記では、音響検出センサ１４の形状を平板状とし、平板の検出面で光音響振動８を検出するものとした。これに代えて、図７に示すような円筒形の音響検出センサ５０を用いることができる。音響検出センサ５０は、外周側の電極が基準電極５２で、内周側の電極が検出電極５４である。ＬＥＤ１２の基板の表面に対し、円筒形の軸方向を垂直方向となるように媒体６の内部に音響検出センサ５０が配置される。これによって、光音響振動８の直進成分を効率よく検出できる。
【００４９】
図８は、赤色絵具について、音響検出センサ１４と音響検出センサ５０との比較を行ったものである。図８は図４に対応する図で、横軸が絵具濃度、縦軸が周波数変化量Δｆである。図８に示されるように、音響検出センサ５０を用いて得られる周波数変化量Δｆは、十分な精度で濃度変化を測定することができる。
【００５０】
図１では、位相周波数変換部２６を、音響検出センサ１４の信号出力端子１５とＬＥＤ駆動回路１６の信号入力端子２１の間に設けた。これに代えて、測定対象物である媒体６に音響振動を入力する振動子を備えるようにし、位相周波数変換部２６を音響検出センサの信号出力端子と振動子の信号入力端子の間に設けてもよい。
【００５１】
図９の光音響振動に基づく物性測定装置６０は、振動子と音響検出センサとを一体化した探触子６２を用い、位相周波数変換部２６を音響検出センサの信号出力端子６７と振動
子の信号入力端子６９の間に設ける。ＬＥＤ駆動回路１６は位相周波数変換部２６と分離される。
【００５２】
図１０は、探触子６２を示す図で、図１０（ａ）は斜視図、（ｂ）は底面図である。探触子６２は、２つの円板状の圧電素子を積層したものである。紙面で上側の圧電素子が音響検出センサ、下側の圧電素子が振動子である。この上下配置関係を逆にしてもよい。２つの圧電素子の間が共通電極６４で、上側の圧電素子において共通電極６４とは反対側の面に設けられる電極が検出電極６６で、下側の圧電素子において共通電極６４とは反対側の面に設けられる電極が振動電極６８である。
【００５３】
検出電極６６から引き出される端子が音響検出素子の信号出力端子６７、振動電極６８から引き出される端子が振動子の信号入力端子６９に相当する。位相周波数変換部２６の端子２２は音響検出素子の信号出力端子６７に接続され、端子２４は、振動子の信号入力端子６９に接続される。
【００５４】
この構成において、探触子６２は、ＬＥＤ１２の点灯、消灯に関わらず、媒体６の特性を常に監視できる。すなわち、振動子への入力波形と音響検出センサからの出力波形との間に生ずる位相差をゼロにするように位相補償回路３２が働き、これによって生じる自励発振振動の周波数を常に監視している。媒体６の状態が変化しなければ、自励発振振動の周波数に変化は生じない。ここで、ＬＥＤ駆動回路１６のオンオフスイッチ１８がオンされると、図３で説明したように、ＬＥＤ１２から光エネルギが媒体６に入射され、光音響振動８が発生する。このことで、媒体６の状態が変化すると、自励発振振動の周波数が変化する。その周波数変化量Δｆは、周波数変化検出部３４によって検出される。その周波数変化量Δｆは、光音響振動８によって変化した媒体６の状態変化量を示すことになる。
【００５５】
図１１は、赤色の絵具濃度と周波数変化量Δｆの特性相関関係について、図９の構成と図１の構成との比較を示す図である。図１１からは、同じ周波数変化量Δfで比較すると、図１の構成によって評価される絵具濃度よりも、図９の構成によって評価される絵具濃度が低濃度になる。このことから、光音響振動８によって、絵具濃度がより低濃度化したことが予想される。
【符号の説明】
【００５６】
６  （測定対象物である）媒体、８  光音響振動、１０，６０  （光音響振動に基づく）物性測定装置、１２  （光入力素子である）ＬＥＤ、１４，５０  音響検出センサ、１５，６７  信号出力端子、１６  ＬＥＤ駆動回路、１８  オンオフスイッチ、２０  ドライバトランジスタ、２１，６９  信号入力端子、２２，２４  端子、２６  位相周波数変換部、２８  ＤＣカットコンデンサ、３０  増幅器、３２  位相補償回路、３４  周波数変化検出部、３６  記憶部、３８  特性相関関係、４０  出力部、４２，５２  基準電極、４４，５４，６６  検出電極、６２  探触子、６４  共通電極、６８  振動電極。
【図１】
2014052206.tif 000003
【図２】
2014052206.tif 000004
【図３】
2014052206.tif 000005
【図４】
2014052206.tif 000006
【図５】
2014052206.tif 000007
【図６】
2014052206.tif 000008
【図７】
2014052206.tif 000009
【図８】
2014052206.tif 000010
【図９】
2014052206.tif 000011
【図１０】
2014052206.tif 000012
【図１１】
2014052206.tif 000013